(57)【特許請求の範囲】
【請求項１】
容器本体の注ぎ口を開口部から突出させて飲料用容器を収納する有底筒状の収納ケースからなる飲料用容器の収納ケースにおいて、前記収納ケースは、左右に２分割された一対のケース本体と、これら左右のケース本体を底部間及び上部間でそれぞれ連結する底部連結部材、上部連結部材、及び衝撃吸収部材と前記飲料用容器を収納した収納ケースを保持するための前記ケース本体に取り付けられたハンドル部材からなっており、前記左右のケース本体を連結する前記底部連結部材、上部連結部材に弾性材料を用いて前記ケースの内側が圧接して飲料用容器の抜け落ち、空回りの防止をすると共に、収納ケースへの容器本体の着脱を容易とするために、前記左右のケース本体が前記底部連結部材を介して開閉するようにしたことを特徴とする飲料用容器の収納ケース。
【請求項２】
前記ケース本体に、弾性材料からなる前記衝撃吸収部材を複数個強制嵌合させたことを特徴とする請求項１記載の飲料用容器の収納ケース。
【請求項３】
前記底部連結部材は、前記左右のケース本体の底部に強制嵌合されると共に、前記ケース本体の底部から外側へ突出する底突出部を有することを特徴とする請求項１または２記載の飲料用容器の収納ケース。
【請求項４】
前記上部連結部材は、一方のケース本体の側面に強制嵌合され、相対する他方のケース本体の側面に設けられた係止受け部に着脱自在に係止することを特徴とする請求項１〜３のいずれか１項に記載の飲料用容器の収納ケース。
【請求項５】
前記ハンドル部材は弾性材料から成り、前記ケース本体に設けられた一文字状スリットと逆Ｔ字状スリットの両端部がそれぞれ嵌合することを特徴とする請求項１〜４のいずれか1項に記載の飲料用容器の収納ケース。
【発明の詳細な説明】
【技術分野】
【０００１】
本発明は、飲料用容器の収納ケースに関するものである。
【背景技術】
【０００２】
従来、容器本体の注ぎ口を開口部から突出させて収納するケース本体を有底筒状に形成し、該ケース本体の胴部外壁の開口部寄りにさげひもの係止突起を設け、該係止突起に前記開口部を跨いで液体容器の抜け落ちを防止するストッパベルトを係止すると共に、さげひもを前記係止突起と、該係止突起と対向する開口部寄りの係止突起あるいは前記係止突起と同一軸線上の底部寄りに形成された係止突起に係止し、把手やさげひもを備えていない液体容器を容易に収納でき携帯に便利である。また、液体容器の注ぎ口が収納ケースから突出しているので、液体容器をケースから取り出すことなく使用でき、さらに、容器本体が収納ケースにより保護される収納ケースが知られている（例えば特許文献１、２，３，４）。
【特許文献１】実公平４−３３０９４号公報
【特許文献２】実公平４−４７０７４号公報
【特許文献３】実公平６−３４２８３号公報
【特許文献４】実公平６−３４２８４号公報
【発明の開示】
【発明が解決しようとする課題】
【０００３】
従来技術のように、容器本体の注ぎ口を開口部から突出させて飲料用容器を収納する有底筒状の収納ケースとし、容器本体の肩部がなで肩形状をなしており、該なで肩形状箇所をストッパベルトで保持して収納ケースの開口部から容器本体の抜け落ちを防止できるような収納ケースにあっては、容器本体が略円筒形状である場合は機能せず抜け落ちてしまう虞がある。また、ストッパベルトは有るが容器本体の側面には当て目的の部材は無いため、ストッパベルトの接触のみでは不十分であり空回りしてしまう虞もある。さらに、従来例では収納ケース内面と容器本体外面、すなわち容器本体の側面、そこ面の間が直接接する構造のため、用意の着脱や収納状態での落下等の衝撃で容器本体が傷つく可能性がある。また、収納ケース内面と容器本体外面、すなわち側面、底面の間に隙間があるため、容器本体が収納ケース内でがたつき、傷やがたつき音が発生する他に、隙間により容積効率も悪くなり、かさばってしまうという問題がある。しかも、従来技術では収納ケースの上部開口から容器本体を挿入し着脱する構造であるが、開口が狭く出し入れしにくく、出し入れの際に収納ケースの開口縁や内面と容器本体が擦れて傷ついてしまう。また、収納ケースの開口部が狭く内部に汚れが溜まり、洗浄しにくいなど不衛生なることが懸念される。さらに、従来技術ではストッパベルトの着脱にあっては、その取り付け、取り外しが容器本体の突出部、すなわちコップ部をまたいで行うため、ひっかかる等操作性が良くない、という問題点もある。
【０００４】
解決しようとする問題点は、容器本体の注ぎ口を開口部から突出させて飲料用容器を収納する有底筒状の飲料用容器の収納ケースにおいて、容器本体の抜け落ち、空回りを防止し、また容器本体の保護、衝撃吸収を図れ、しかも収納ケースへの容器本体の着脱が容易な収納ケースを提供する点である。
【課題を解決するための手段】
【０００５】
請求項１の発明は、容器本体の注ぎ口を開口部から突出させて飲料用容器を収納する有底筒状の収納ケースからなる飲料用容器の収納ケースにおいて、前記収納ケースは、左右に２分割された一対のケース本体と、これら左右のケース本体を底部間及び上部間でそれぞれ連結する底部連結部材、上部連結部材、及び衝撃吸収部材と前記飲料用容器を収納した収納ケースを保持するための前記ケース本体に取り付けられたハンドル部材からなっており、前記左右のケース本体を連結する前記底部連結部材、上部連結部材に弾性材料を用いて前記ケースの内側が圧接して飲料用容器の抜け落ち、空回りの防止をすると共に、収納ケースへの容器本体の着脱を容易とするために、前記左右のケース本体が前記底部連結部材を介して開閉するようにしたことを特徴とする飲料用容器の収納ケースである。
【０００６】
請求項２の発明は、前記ケース本体に、弾性材料からなる前記衝撃吸収部材を複数個強制嵌合させたことを特徴とする請求項１記載の飲料用容器の収納ケースである。
【０００７】
請求項３の発明は、前記底部連結部材は、前記左右のケース本体の底部に強制嵌合されると共に、前記ケース本体の底部から外側へ突出する底突出部を有することを特徴とする請求項１または２記載の飲料用容器の収納ケースである。
【０００８】
請求項４の発明は、前記上部連結部材は、一方のケース本体の側面に強制嵌合され、相対する他方のケース本体の側面に設けられた係止受け部に着脱自在に係止することを特徴とする請求項１〜３のいずれか１項に記載の飲料用容器の収納ケースである。
【０００９】
請求項５の発明は、前記ハンドル部材は弾性材料から成り、前記ケース本体に設けられた一文字状スリットと逆Ｔ字状スリットの両端部がそれぞれ嵌合することを特徴とする請求項１〜４のいずれか1項に記載の飲料用容器の収納ケースである。
【発明の効果】
【００１０】
請求項１の発明によれば、左右のケース本体の底部間及び上部間を底部連結部材及び上部連結部材で連結することで飲料用容器を確実に保持でき、さらにハンドル部材を保持することで容易に携帯することができる。また、底部連結部材、上部連結部材に弾性材料を用いて前記ケースの内側が圧接して飲料用容器の抜け落ち、空回りの防止できる。さらに左右の一方のケース本体と他方のケース本体が底部連結部材を介して底部で回動自在に開閉するため、飲料用容器を収納ケースに着脱することが容易である。
【００１１】
請求項２の発明によれば、飲料用容器を収納ケースに収納、着脱する際に傷等が発生することを防ぐことが可能である。
【００１２】
請求項３の発明によれば、収納ケースをテーブル等に載置した場合に、底突出部が弾性的に接触するためテーブル等が傷つくことを防止できる。
【００１３】
請求項４の発明によれば、上部連結部材の弾性作用によって左右のケース本体が確実に容器本体を挟んで収納保持できる。
【００１４】
請求項５の発明によれば、ハンドル部材のケース本体への取り付けにあって、その組立が容易となる。
【発明を実施するための最良の形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図は実施例１を示しており、片手で持てる大きさの飲料用容器１は、円筒型の外筒２の内側に断熱層を介して内筒（図示せず）を同心円状に設けた断熱構造のほぼ円筒状の容器本体１Ａと、該容器本体１Ａの上部開口３に着脱可能に被着される栓体４とを備える。
【００１７】
合成樹脂製の栓体４は、容器本体１Ａの外周とほぼ同じ外径の周側面５の上部に、平面が円形の天面６を有するものである。また天面６の前部外側には注ぎ口７が設けられ、この注ぎ口７は筒状の飲み口或いは注出口などとも称せられ上下方向に貫通するように円筒状に立設すると共に、該注ぎ口７の上方を開閉する蓋体８とを備えている。そして蓋体８はその基端を栓体４の天面６に回動軸部であるヒンジ部９を介して起伏自在に設けられており、伏した閉じた状態で蓋体８が注ぎ口７の上方をパッキンからなる第１の止液材10を介して外側を液密に覆うようになっている。そして、蓋体８が伏した蓋閉状態において蓋体８のほぼ縦向きな先端面11は周側面５とほぼ同一面状になるように対向している。尚、図中12は蓋体８の裏面に下向きに突設したゴム等の弾性突起であり、該蓋体８が伏した状態ではその先端が上面に圧接して蓋体８を開方向に付勢している。
そして、蓋体８を伏した状態で該蓋体８を栓体４に着脱可能に固定するためのロック装置13は、栓体４の周側面５に回動自在に設けたロック部材14と、蓋体８の先端面11に設けたロック部材14が係止可能なロック受け部15によって構成される。
【００１８】
容器本体１Ａを収納する合成樹脂製の収納ケース16は、平面が円形な底部16Ａと該底部16Ａの縁より立設する円筒部16Ｂとを備え、その円筒部16Ｂの上部は、上部開口17によって底部16Ａと対向するように平面円形に開口しており、この上部開口17から注ぎ口７が突出できるようになっている。収納ケース16は縦割りするように左右一対に設けられて、半割状の一方のケース本体18と半割状の他方のケース本体19によって形成されている。そして、一方のケース本体18は一方の半円筒部18Ａの下部に一方の半円底部18Ｂが形成され、他方のケース本体19は他方の半円筒部19Ａの下部に他方の半円底部19Ｂが形成されており、容器本体１Ａを収納ケース16に収納したとき、容器本体１Ａの左右側面に一方のケース本体18と他方のケース本体19が嵌合すると共に、容器本体１Ａの底面２Ａが一方の半円底部18Ｂ及び他方の半円底部19Ｂに載置するようになっている。さらに、容器本体１Ａが収納ケース16に収納された状態では、一方の半円底部18Ｂにおける直径方向の第一の縁20と隣接する他方の半円底部19Ｂにおける直径方向の第二の縁21は第一の間隔Ａを有している。一方のケース本体18における両方の縦向きの第三の縁22及びこれに対向して隣接する他方のケース本体19における両方の縦向きの第四の縁23との間には、第一の間隔Ａと同じような第二の間隔Ｂをそれぞれ有している。このため、一方の半円底部18Ｂ、第一の間隔Ａ、他方の半円底部19Ｂの順に配置されて容器本体１Ａの底面２Ａが載置されるようになっている。また、一方のケース本体18、第二の間隔Ｂ、他方のケース本体19、第二の間隔Ｂが環状となって容器本体１Ａの円周面を覆うこととなる。したがって、一方の半円底部18Ｂと他方の半円底部19Ｂのそれぞれの第一の円弧方向長さＣは、同じ半径を有する場合の半円状の場合の第一の仮想円弧長さＤよりも短く形成されている（Ｃ＜Ｄ）。また収納ケース16の平面においては、一方のケース本体18、他方のケース本体19のそれぞれの第二の円弧方向長さＥは、同じ半径を有する場合の半円状の場合の第二の仮想円弧長さＦよりも短く形成されている（Ｅ＜Ｆ）。尚、第三の縁22、第四の縁23における上下方向の中間部には切り欠き部24が形成されている。
【００１９】
そして、一方の半円底部18Ｂと他方の半円底部19Ｂとの間に前後一対の一方の底部連結部材25と他方の底部連結部材26を設けると共に、一方のケース本体18と他方のケース本体19との間にも前後一対の一方の上部連結部材27と他方の上部連結部材28を設ける。また、一方のケース本体18の周面外側にハンドル部材29が設けられる。このハンドル部材29は一方のケース本体18における円周方向の中間であって上下方向にバンド状に配置されているもので、一方のケース本体18の外周とハンドル部材29との間に指（図示せず）を入れることで飲料用容器１を収納した収納ケース16を片手で保持することができるようになっている。さらに、一方のケース本体18の上端と他方のケース本体19の上端には、ストラップ（さげひも）30の両端がそれぞれの連結用の孔31を介して連結している。
【００２０】
さらに、一方のケース本体18と他方のケース本体19にそれぞれ複数の衝撃吸収部材32，33，34を設けるものであり、これら衝撃吸収部材32，33，34は、一方のケース本体18における下部に円周方向に間隔をおいて設けられる一方の下部衝撃吸収部材32と、他方のケース本体19における下部に円周方向に間隔をおいて設けられる他方の下部衝撃吸収部材33と、他方のケース本体19における上部に円周方向に間隔をおいて設けられる他方の上部衝撃吸収部材34からなる。
【００２１】
一方の底部連結部材25と他方の底部連結部材26はそれぞれゴム、エラストマー等の弾性材料によって形成されたものであり、それらにおいて各々の横向き方向の第一の中間部35を第一の間隔Ａを架設するように配置して一方の半円底部18Ｂと他方の半円底部19Ｂで回動自在に開閉するヒンジ部36を形成する。さらに、一方の底部連結部材25と他方の底部連結部材26の両端側を一方の半円底部18Ｂと他方の半円底部19Ｂにおいて上面から下面に第一の貫通孔37を介して嵌入すると共に、その両端を第一の貫通孔37より幅広に形成することで一方の底部連結部材25と他方の底部連結部材26は強制嵌合され抜け止めがなされて底部の抜け止め用突出部38が設けられ、さらにその下面は一方の半円底部18Ｂの下面、他方の半円底部19Ｂの下面より下方に突設して底突出部39を形成している。
【００２２】
前記一方の上部連結部材27、他方の上部連結部材28もゴム、エラストマー等の弾性材料から成り、これら一方の上部連結部材27、他方の上部連結部材28の横向き方向となって一方のケース本体18、他方のケース本体19の外周面より外側に外周面が突設される第二の中間部40は、第二の間隔Ｂを架設するように配置され、その基端27Ａ，28Ａ側は一方のケース本体18に連結されると共に、先端27Ｂ，28Ｂ側は他方のケース本体19に着脱可能に連結している。基端27Ａ，28Ａ側は一方のケース本体18の上部表面において外側から内側に第二の貫通孔41を介して嵌入すると共に、基端27Ａ，28Ａ側はその内側を第二の貫通孔41より幅広に形成することで第二の貫通孔41に強制嵌合されて抜け止めがなされ、さらにその基端27Ａ，28Ａ側の内面は一方のケース本体18の内面に沿って該内面より内側に突設して上部連結基端の抜け止め用突出部42を形成している。また上部連結部材の第二の中間部40又は先端27Ｂ，28Ｂ側、実施例では第二の中間部40に係止部43を内外を貫通する貫通孔によって形成し、この係止部43は他方のケース本体19の上部に設けた突起状の係止受け部44に着脱自在に連結される。尚、一方の上部連結部材27、他方の上部連結部材28における基端27Ａ，28Ａ側と係止部43との間には横長手方向に伸縮可能なように蛇腹部45が介在している。係止受け部44は第四の縁23の上部に外側に突設して設けられたものである。尚、容器本体１Ａを収納しない状態で係止部43を係止受け部44に係止して連結した一方の上部連結部材27、他方の上部連結部材28が弾性により伸びていない場合には、一方のケース本体18、第二の間隔Ｂ、他方のケース本体19、第二の間隔Ｂにより平面環状となっている内円周長さは容器本体１Ａの外円周長さよりも短くなっている。
【００２３】
上下方向に設けられる前記ハンドル部材29もゴム、エラストマー等の弾性材料から成り、そのハンドル上端29Ａは内側から外側に、一文字状スリットである横一文字状の第三の貫通孔46を介して嵌入すると共に、ハンドル上端29Ａはその内側を第三の貫通孔46より幅広に形成することで第三の貫通孔46に強制嵌合されて抜け止めがなされて、さらにそのハンドル上端側の内面は一方のケース本体18の内面に沿って該内面より内側に突設してハンドル上端29Ａの抜け止め用突出部47を形成している。また、ハンドル下端29Ｂは外側から内側に第四の貫通孔48を介して嵌入すると共に、ハンドル下端29Ｂはその内側を第四の貫通孔48より幅広に形成することで第四の貫通孔48に強制嵌合されて抜け止めがなされ、さらにそのハンドル下端29Ｂ側の内面は一方のケース本体18の内面に沿って該内側に突設してハンドル下端29Ｂの抜け止め用突出部49を形成している。そして、第四の貫通孔48は一方のケース本体18の円周方向を長手方向とした横向き貫通部48Ａと、該横向き貫通部48Ａの横方向中央において上向きに連通する縦向き貫通部48Ｂからなり、正面的には逆Ｔ字形状になる逆Ｔ字状スリットが形成されている。そして、ハンドル下端29Ｂにおいては横向き貫通部48Ａに嵌入する上方への折り返し部50が連設され、さらにハンドル下端29Ｂ側の外側部位と折り返し部50との間に、縦向き貫通部48Ｂに嵌入するリブ51が連設している。すなわち、ハンドル下端29Ｂ側においては、逆Ｔ字状スリットと同じ厚みの第三の間隔Ｇを介して折り返し部50を形成し、そしてハンドル下端29Ｂ側の円周方向の中央と折り返し部50の円周方向の中央を第三の間隔Ｉを架設するようにリブ51が上下方向に形成されるものであり、このリブ51と折り返し部50の下縁により正面的には逆Ｔ字形状となり、そして折り返し部50の内面は一方の半円筒部18Ａの内面より内側に突設するハンドル下端29Ｂの抜け止め用突出部49が設けられる。
【００２４】
前記一方の下部衝撃吸収部材32と、他方の下部衝撃吸収部材33と、他方の上部衝撃吸収部材34は、一方のケース本体18、他方のケース本体19の外周面より外側に外周面が突設された状態で内側から外側に第五の貫通孔53を介して嵌入すると共に、その内側を第五の貫通孔53より幅広に形成することで第五の貫通孔53に強制嵌合されて抜け止めがなされ、さらにその一方の下部衝撃吸収部材32、他方の下部衝撃吸収部材33、他方の上部衝撃吸収部材34の内面は一方のケース本体18、他方のケース本体19の内面にそれぞれ沿って突設して衝撃吸収用の抜け止め用突出部49を形成している。
【００２５】
次に前記構成についてその作用を説明する。一方のケース本体18、他方のケース本体19への、一方の上部連結部材27、他方の上部連結部材28、一方の底部連結部材25と他方の底部連結部材26、さらに一方の下部衝撃吸収部材32と、他方の下部衝撃吸収部材33と、他方の上部衝撃吸収部材34にあっては弾性材料の弾性力を利用した強制嵌合によって行う。また、ハンドル部材29の取り付けにあっては、ハンドル下端29Ｂをまず一方のケース本体18の第三の貫通孔46の内側から挿入貫通させて外側にいったん出した後に、そのハンドル下端29Ｂを再度下側の逆Ｔ字状スリットに外側から内側に挿入貫通させて装着することで、ハンドル上端29Ａ側、ハンドル下端29Ｂ側を一文字状スリットである横一文字状の第三の貫通孔46と、逆Ｔ字状スリット（第四の貫通孔48）にそれぞれ強制嵌合している。容器本体１Ａを収納ケース16に収納する場合には、まずヒンジ部36を回転中心として一方のケース本体18と他方のケース本体19を伏すようにして上方が大きく開口するように開く。次に容器本体１Ａを一方の半円底部18Ｂ、他方の半円底部19Ｂに底を載置する。そしてヒンジ部36を回転中心として起すようにして第一の間隔Ａ、第二の間隔Ｂを狭めるようにする。次に、一方の上部連結部材27と他方の上部連結部材28においてそれぞれの係止部43側を係止受け部44側に引っ張って係止する。この際、上部連結部材27，28には力が加わらず伸びていない状態では、一方のケース本体18、第二の間隔Ｂ、他方のケース本体19、第二の間隔Ｂにより平面環状となっている円周長さは容器本体１Ａの円周長さよりも短くなっているので、係止部43側を係止受け部44に係止することはできず、また一方のケース本体18、他方のケース本体19が容器本体１Ａに遊嵌する状態のままとなる。しかし、係止部43側を係止受け部44側に引っ張って係止受け部44係止すると、一方のケース本体18、第二の間隔Ｂ、他方のケース本体19、第二の間隔Ｂにより平面環状となっている円周長さは遊嵌状態の円周長さよりも長くなり、その結果容器本体１Ａの外周の上下に、上部連結基端の抜け止め用突出部42、ハンドル上端29Ａの抜け止め用突出部47、ハンドル下端29Ｂの抜け止め用突出部49、衝撃吸収用の抜け止め用突出部54が圧接する。さらに、容器本体１Ａの底面２Ａに一方の底部連結部材25と他方の底部連結部材26の内側が圧接する。これら圧接作用によって容器本体１Ａは固定状態で収納ケース16に収納される。また、このような状態で収納ケース16を床等に落とした場合には、収納ケース16における底突出部39や外側にあらわれる第二の中間部40、一方の下部衝撃吸収部材32、他方の下部衝撃吸収部材33、他方の上部衝撃吸収部材34のそれぞれにおける外側にあらわれる外周面が、床等に最初に当たる。これら底突出部39、第二の中間部40、一方の下部衝撃吸収部材32、他方の下部衝撃吸収部材33、他方の上部衝撃吸収部材34は弾性材料によって形成されているので、クッション性能が高く、これにより容器本体１Ａを衝撃から保護することができるようになる。
【００２６】
以上のように、前記実施例では容器本体１Ａの注ぎ口７を上部開口17から突出させて飲料用容器１を収納する有底筒状の収納ケース16において、収納ケース16は、左右に２分割された一対の一方のケース本体18と他方のケース本体19と、これら左右の一方のケース本体18と他方のケース本体19を底部16Ａ間及び上部間でそれぞれ連結する一方の底部連結部材25と他方の底部連結部材26、及び一方の上部連結部材27、他方の上部連結部材28と、前記飲料用容器１を収納した収納ケース16を保持するための前記一方のケース本体18に取り付けられたハンドル部材29からなることにより、収納ケース16は、左右一対の一方のケース本体18と他方のケース本体19を底部16Ａ及び上部で一方の底部連結部材25、他方の底部連結部材26及び一方の上部連結部材27、他方の上部連結部材28により確実に連結されるため、収納ケース16に収納した飲料用容器１は確実に保持され、抜け落ちることが無い。また、一方のケース本体18に取り付けられたハンドル部材29を保持することで容易に携帯することができる。
【００２７】
また、前記一方のケース本体18と他方のケース本体19ケース本体に弾性材料から成る一方の下部衝撃吸収部材32と、他方の下部衝撃吸収部材33と、他方の上部衝撃吸収部材34を強制嵌合させたことにより、飲料用容器１を収納、着脱する際に傷等が発生することを防ぐことが可能である。
【００２８】
さらに、前記一方の底部連結部材25と他方の底部連結部材26は弾性材料から成り、前記左右の一方のケース本体18と他方のケース本体19の一方の半円底部18Ｂ、他方の半円底部19Ｂに強制嵌合され、前記左右の一方のケース本体18と他方のケース本体19が底部で回動自在に開閉するヒンジ部36を形成することで、左右の一方のケース本体18と他方のケース本体19が底部16Ａで回動自在に開閉するため、飲料用容器１を収納ケース16に着脱することが容易であり、また収納ケース16に溜まったごみや汚れの除去がしやすく、衛生的である。また、一方のケース本体18と他方のケース本体19の一方の半円底部18Ｂの下面、他方の半円底部19Ｂから外側へ突出する底突出部39を有することにより、収納ケース16をテーブル等に載置した場合に、底突出部39が弾性的に接触するためテーブル等が傷つくことを防止でき、衝撃音も低減することができる。さらに、携帯時に収納ケース16が底部16Ａから床等に落下した場合も、底突出部39が弾性的に衝突吸収するため、飲料用容器１や収納ケース16が傷つくことを防ぐことができる。
【００２９】
しかも、一方の上部連結部材27、他方の上部連結部材28は弾性材料から成り、一方のケース本体18の側面に強制嵌合され、相対する他方のケース本体19の側面に設けられた突起状の係止受け部44に着脱自在に係止することにより、一方の上部連結部材27、他方の上部連結部材28の弾性作用によって左右の一方のケース本体18と他方のケース本体19が確実に容器本体１Ａを挟み収納保持でき、収納ケース16の開口部から抜け落ちたりずれることを防止できる。
【００３０】
また、ハンドル部材29は弾性材料から成り、一方のケース本体18に設けられた一文字状スリットである横一文字状の第三の貫通孔46と、逆Ｔ字状スリット（横向き貫通部48Ａと、該横向き貫通部48Ａの横方向中央において上向きに連通する縦向き貫通部48Ｂ）に、ハンドル部材29両端部がそれぞれ嵌合することにより、ハンドル部材29の一方のケース本体18への取り付けにあっては、一方のケース本体18の第三の貫通孔46の内側から挿入貫通させて下側の逆Ｔ字状スリット（第四の貫通孔48）に外側から内側に挿入貫通させて装着する構造であるので、組立が容易であると共に、上下逆に取り付けるという誤操作を防ぎ確実な取りつけができ、十分なハンドル強度を得ることができる。
【００３１】
さらに、弾性材料からなる前記一方の底部連結部材25と他方の底部連結部材26、一方の上部連結部材27と他方の上部連結部材28、ハンドル部材29及び一方の下部衝撃吸収部材32と、他方の下部衝撃吸収部材33と、他方の上部衝撃吸収部材34は、前記一方のケース本体18と他方のケース本体19の内側に、底部の抜け止め用突出部38、上部連結基端の抜け止め用突出部42、ハンドル上端29Ａの抜け止め用突出部47、ハンドル下端29Ｂの抜け止め用突出部49を有し、これら突出部はフランジ面となって収納した容器本体１Ａの外面と接触して、飲料用容器１が収納状態から抜け落ちたり空回りすることを防ぐ抜け止め兼回り止めとなる。しかも、容器本体１Ａは一方のケース本体18、他方のケース本体19と直接触れずに、突出部がフランジ面となって介在して容器本体１Ａと一方のケース本体18、他方のケース本体19とが間接的に当接し、容器本体１Ａと一方のケース本体18、他方のケース本体19の間に空間部を隔てて収納されるため、接触による摺れ傷などを防ぐことができる。
【産業上の利用可能性】
【００３２】
以上のように本発明に係る飲料用容器の収納ケースは、各種の用途に適用できる。
【図面の簡単な説明】
【００３３】
【図１】本発明の実施例１を示す収納ケースの斜視図である。
【図２】同飲料用容器を収納した状態の収納ケースの上方からの斜視図である。
【図３】同飲料用容器を収納した状態の収納ケースの下方からの斜視図である。
【図４】同分解斜視図である。
【図５】同収納ケースの開いた状態の斜視図である。
【図６】同要部の分解斜視図である。
【符号の説明】
【００３４】
１ 飲料用容器
１Ａ 容器本体
７ 注ぎ口
16 収納ケース
16Ａ 底部
17 上部開口
18 一方のケース本体
18Ｂ 一方の半円底部
19Ｂ 他方の半円底部
19 他方のケース本体
25 一方の底部連結部材
26 他方の底部連結部材
27 一方の上部連結部材
28 他方の上部連結部材
29 ハンドル部材
29Ａ ハンドル上端
29Ｂ ハンドル下端
32 下部衝撃吸収部材
33 他方の下部衝撃吸収部材
34 他方の上部衝撃吸収部材
36 ヒンジ部
38 42 47 49 抜け止め用突出部
39 底突出部
41 係止部
44 係止受け部
46 第三の貫通孔（一文字状スリット）
48 第四の貫通孔（逆Ｔ字状スリット）
【図１】
0004591518.tif 000002
【図２】
0004591518.tif 000003
【図３】
0004591518.tif 000004
【図４】
0004591518.tif 000005
【図５】
0004591518.tif 000006
【図６】
0004591518.tif 000007